(57)【要約】【課題】  従来技術では、宅配業者はユーザー又は管理人がいない時は利用できないという問題点があった。また、オートロックの内側にある電気等の検針もユーザー又は管理人がいないと開られないという問題点があった。【解決手段】  宅配配達業者又は電気等検針業者にマンションのオートロック又は宅配ＢＯＸ用開閉用としての磁気カード又はＩＣカードに年月日別識別コードを設け、オンライン又はオフラインで、管理されるパスワード付き、磁気カードリーダー又はＩＣカードライターをおき、宅配又は郵便配達時に業者側が識別コードデータをライトする手段を設ける。また、業者側がメール又はＦＡＸ又は電話でその日のパスワードを受け取る手段を設ける。ユーザー側はオフライン又はオンラインで磁気カード又はＩＣカードリーダーの年月日別識別コードデータを照合する手段を設ける。又テンキーでのパスワードの照合し、オートロック及び宅配ＢＯＸを開ける手段を設ける。【選択図】図４
2019212254.tif 000002
【特許請求の範囲】
【請求項１】
マンションで紛失してもセキュリティが保たれる日替わり磁気カード又はＩＣカードを用いる場合と用いない場合で、日替わりパスワードにより、管理人を介さず宅配業者が宅配便を入れるセキュリティ宅配ＢＯＸシステム
【請求項２】
マンションで郵送業者が紛失してもセキュリチィが保たれる日替わり磁気カード又はＩＣカードを用いる場合と、用いない場合で日替わりパスワードにより、管理人を介さずオートロックを開閉するオートロック開閉システム
【請求項３】
荷物を受け取った人が印鑑又はサインではなく、用紙に記入されているフリーダイヤルに電話して、確認を行う宅配ＢＯＸシステム
【請求項４】
宅配配達業者又は電気等検針業者にマンションのオートロック又は宅配ＢＯＸ用開閉用としての磁気カード又はＩＣカードに年月日別識別コードを設け、オンライン又はオフラインで、管理されるパスワード付き、磁気カードリーダー又はＩＣカードライターをおき、宅配又は電気等検針時に業者側が識別コードデータをライトする。また、業者側がメール又はＦＡＸ又は電話でその日のパスワードを受け取る。ユーザー側はオフライン又はオンラインで磁気カード又はＩＣカードリーダーの年月日別識別コードデータを照合する。又テンキーでのパスワードの照合を行いオートロック又は宅配ＢＯＸの開閉システム。
【発明の詳細な説明】
【技術分野】
【０００１】  本発明は、管理人なしで行え、２４時間利用可能なマンションでのオートロック及び宅配ＢＯＸ開閉に関する技術分野である。
【従来技術】
【０００２】  図１は、従来システムのカード例である。（カードとは、磁気カード又はＩＣカードである。）図２は従来システムのシステム例である。１１は管理者コード、１２はユーザーコード、１３はカードＩＤ、２１は制御部（表示部含む）、２２は磁気カードリーダー又はＩＣカードリーダー、２３はプリンター、２４はバーコードリーダー、２５はＢＯＸ部である。１１、１２、１３は２２により読みとられ、２１により、照合される。
まず、宅配業者はマンションの管理人を介して（管理人が受け取り印を押す）、管理者カードを、２２にて読み取らせ２１で１１、１３の照合をし、２５を開け、２３にて、荷物を入れた番号（例えばＮｏ．１）のランダムな管理バーコードを印刷する。その管理バーコードをコメントをつけて、受取人の郵便ＢＯＸに入れる。受取人は、ユーザーカードを、２２にて読み取らせ２１で１２、１３の照合をし、２４にて管理バーコードを読み取らせ、荷物の入っている番号（例えばＮｏ．１）の荷物を受け取る。
また、オートロックはユーザー又は管理人に開けてもらう。
【０００３】  しかしながら、従来技術では、宅配業者はユーザー又は管理人がいない時は利用できないという問題点があった。また、オートロックの内側にある電気等の検針もユーザー又は管理人がいないと開られないという問題点があった。
【発明の開示】
【発明が解決しようとする課題】
【０００４】  本発明は０００３で示す問題点を解決しようとするのが課題である。
【課題を解決するための手段】
【０００５】  宅配配達業者又は電気等検針業者にマンションのオートロック又は宅配ＢＯＸ用開閉用としての磁気カード又はＩＣカードに年月日別識別コードを設け、オンライン又はオフラインで、管理されるパスワード付き、磁気カードリーダー又はＩＣカードライターをおき、宅配又は郵便配達時に業者側が識別コードデータをライトする手段を設ける。また、業者側がメール又はＦＡＸ又は電話でその日のパスワードを受け取る手段を設ける。ユーザー側はオフライン又はオンラインで磁気カード又はＩＣカードリーダーの年月日別識別コードデータを照合する手段を設ける。又テンキーでのパスワードの照合し、オートロック及び宅配ＢＯＸを開ける手段を設ける。
荷物を受け取った人が印鑑又はサインではなく、用紙に記入されているフリーダイヤルに電話して、確認を行う手段を設ける。
【発明の実施例】
【０００６】  図３は、本発明のカード例である。（カードとは、磁気カード又はＩＣカードである。）図４は本発明システム（ユーザ側）のシステム例（オンラインは売り切り、オフラインは貸与）である。３１は日替わり識別コード（オフライン）、３２は日替わり識別コード（オンライン）、３３はカードＩＤ、３４は地域ＩＤ、４１制御部（表示部含む）、４２は磁気カードリーダー又はＩＣカードリーダー（オートロックの内と外にある。）、４３はプリンター、４４はバーコードリーダー、４５はテンキー（オートロックの内と外にある。）、４６はカレンダー、４７はＢＯＸ部である。また、４８はオートロックシステムである。
３１、３２、３３、３４は４２（オートロックの外）により読みとられ、４１により、照合される。４２（オートロックの外）はＬＣＤタッチパネルによるソフトテンキー又はハードテンキーで、日替わりパスワードが入力され４１により、照合される。４１で照合される３１あるいは３２、日替わりパスワードは４６のカレンダーにより、オフライン又はオンラインで日々変更されセキュリティが保たれる。以上、照合が正しい場合、４１は４８に対してオートロックの解除を行う。
図６は、本発明システム（業者側貸与）のシステム例である。６１は制御部（表示部含む）、６２は磁気カードライター又はＩＣカードライター、６３はテンキー（ソフトテンキー又はハードテンキー）、６４はカレンダーである。業者側は、メール又はＦＡＸ又は電話にて、毎日システム会社からパスワードが通知される。その日替わりパスワードにて、業者側のシステム盗難防止、ユーザー側システム（地域別に同じ）の鍵となる。６３により日替わりパスワードを入力し、６１で６４の年月日のデータと、オフライン又はオンラインで照合されるとシステムは使用可能となる。あらかじめ、システム会社から、３３、３４の記入された磁気カードまたは、ＩＣカードが供給され、６２にて、３１又は３２が日替わりに書き込まれる。
このカード及び日替わりパスワードメモ（一緒のところには入れておかない。）を持って宅配員、又は郵便配達員は、ユーザーマンションに向かう。どちらか、１つ紛失しても、日替わりなので、セキュリティは強固である。
次に、宅配ＢＯＸの操作を説明する。３１、３２、３３、３４は４２により読みとられ４１により、照合される。４２（オートロックの内、宅配ＢＯＸ側）はＬＣＤタッチパネルによるソフトテンキー又はハードテンキーで、日替わりパスワードが入力され４１により、照合される。４１で照合される３１あるいは３２、日替わりパスワードは４６のカレンダーにより、オフライン又はオンラインで日々変更されセキュリティが保たれる。以上、照合が正しい場合、４１は４７の使われていない番号（例えばＮｏ．１）を開ける。そして。４３にて、荷物を入れた番号（例えばＮｏ．１）のランダムな管理バーコードを印刷する。その管理バーコードをコメントをつけて、受取人の郵便ＢＯＸに入れる。図５は本発明の宅配ＢＯＸ内に挿入される文章例である。宅配物と一緒にテープ等で荷物につけられてる。受取人は、ユーザーカードを、４２（オートロックの内、宅配ＢＯＸ側）にて読み取らせ４１で１２の照合をし、４４にて管理バーコードを読み取らせ、荷物の入っている番号（例えばＮｏ．１）の荷物を受け取る。
受け取った荷物に取りつかれている図５の文章に記載されているフリーダイヤル（電話料０円）に電話し、印鑑又はサインのかわりに確認を行う。各カードで開けられた場合のフラグにより使用、未使用を４１は管理している。
【発明の効果】
【０００７】  マンションで、紛失してもセキュリティが保たれる日替わり磁気カード又はＩＣカードを用いて日替わりパスワードにより、管理人を介さず、オートロックを開閉し、宅配ＢＯＸも実現ができる。  日替わりパスワードのみを用いて行う場合も同様にして実現できる。
【図面の簡単な説明】
【０００８】【従来技術の実施例】
【図１】  従来システムのカード例
【図２】  従来システムのシステム例【発明の実施例】
【図３】  本発明のカード例
【図４】  本発明システム（ユーザ側）のシステム図（オンラインは売り切り、オフラインは貸与）
【図５】  本発明の宅配ＢＯＸ内に挿入される文章例
【図６】  本発明システムの業者側（オンライン、オフラインとも貸与）のシステム例
【符号の説明】
【０００９】１１    管理者コード
１２    ユーザーコード
１３    カードＩＤ
２１    制御部（表示部含む）
２２    磁気カードリーダー又はＩＣカードリーダー
２３    プリンタ
２４    バーコードリーダー
２５    ＢＯＸ部
３１    日替わり識別コード（オフライン）
３２    日替わり識別コード（オンライン）
３３    カードＩＤ
３４    地域ＩＤ
４１    制御部（表示部含む）
４２    磁気カードリーダー又はＩＣカードリーダー（オートロックの外と内）
４３    プリンタ
４４    バーコードリーダー
４５    テンキー
４６    カレンダー
４７    ＢＯＸ部
６１    制御部（表示部含む）
６２    磁気カードライター又はＩＣカードライター
６３    テンキー
６４    カレンダー
【図１】
2019212254.tif 000003
【図２】
2019212254.tif 000004
【図３】
2019212254.tif 000005
【図４】
2019212254.tif 000006
【図５】
2019212254.tif 000007
【図６】
2019212254.tif 000008